【手続補正書】
【提出日】平成31年1月24日(2019.1.24)
【手続補正１】
【補正対象書類名】特許請求の範囲
【補正対象項目名】全文
【補正方法】変更
【補正の内容】
【特許請求の範囲】
【請求項１】
特に代理人に本人に代わって行為を行う権限を与えることを目的とする代理委任状様式の少なくとも１つの文書（ＤＯＣ）の自動生成のためのコンピュータが実行する方法であって、前記文書（ＤＯＣ）が割付け（ＬＹ）に従って表示される複数の項目（ＰＡ）を含み、前記複数の項目（ＰＡ）および前記割付け（ＬＹ）が少なくとも１つの第１のパラメータ（Ｐ１）および第２のパラメータ（Ｐ２）に従い、前記方法はデータベース（３）を実装する方法であり、前記データベース（３）は、
−  割付け（ＬＹ）の１つのベース（ＢＬＹ）と、
−  項目（ＰＡ）の１つのベース（ＢＰＡ）と、
−  所定の項目および割付けを備える固定フレームならびに少なくとも１つの可変フィールドを備える、ＰＤＦ形式の予め完成された文書（ＤＯＣＰＤＦ）の１つのベース（ＢＰＤＦ）と、
−  前記第１のパラメータ（Ｐ１）の値のリスト（ＬＰ１）と、
−  前記第２のパラメータ（Ｐ２）の値のリスト（ＬＰ２）であって、前記パラメータ（Ｐ１、Ｐ２）の値の各組合せが生成文脈（ｋ）を形成する、リスト（ＬＰ２）と、
−  各生成文脈（ｋ）を、仮想文書（ＤＯＣｖ）と、またはＰＤＦ形式の予め完成された文書の前記ベースのＰＤＦ形式の予め完成された文書と関連付ける静的インデックス（ＩＮＤＥＸ）であって、仮想文書（ＤＯＣｖ）が、割付けの前記ベース（ＢＬＹ）の決定した割付け（ＬＹ）を指す少なくとも１つのポインタ（ＰＯＬＹ）および項目の前記ベース（ＢＰＡ）の決定した項目（ＰＡ）に関する複数のポインタ（ＰＯＰＡ）を備える、静的インデックス（ＩＮＤＥＸ）と、を少なくとも備え、
前記方法は、
−  生成文脈（ｋ）を形成するように、前記第１のパラメータ（Ｐ１）の値と、前記第２のパラメータ（Ｐ２）の値とを選択するためのステップ（Ｅ１）と、
−  前記生成文脈（ｋ）と関連付けられた前記仮想文書（ＤＯＣｖ）またはＰＤＦ形式の前記予め完成された文書を得るように、前記静的インデックス（ＩＮＤＥＸ）を参照するためのステップ（Ｅ２）と、
−  仮想文書の場合には、前記得られた仮想文書（ＤＯＣｖ）によって指し示される割付け（ＬＹ）および項目（ＰＡ）の要求を前記データベース（３）内で行うためのステップ（Ｅ３）と、前記要求によって返される前記項目（ＰＡ）および前記要求によって返される前記割付け（ＬＹ）を含む電子形式の前記文書（ＤＯＣ）を生成するためのステップ（Ｅ４）と、
−  ＰＤＦ形式の予め完成された文書（ＤＯＣＰＤＦ）の場合には、ＰＤＦ形式の前記予め完成された文書（ＤＯＣＰＤＦ）の前記可変フィールドの値をデータ入力フォームにキー入力するステップ、または前記値の別のデータベースで検索するステップと、電子形式の前記完成された文書を生成するステップ（Ｅ４’）と、を含むことを特徴とする方法。
【請求項２】
請求項１に記載の方法であって、前記文書（ＤＯＣ）が、固定フレームと少なくとも１つの可変フィールドとを備える少なくとも１つの項目（ＰＡ）を備えることを特徴とする方法。
【請求項３】
請求項２に記載の方法であって、前記方法が、前記項目（ＰＡ）の前記可変フィールドの値をデータ入力フォームにキー入力するステップ、または前記値の別のデータベースで検索するステップを含むことを特徴とする方法。
【請求項４】
請求項３に記載の方法であって、前記生成文脈（ｋ）に従ってデータ入力フォームを生成するステップと、前記項目（ＰＡ）の前記可変フィールドの前記値を前記データ入力フォームにキー入力するステップとを含むことを特徴とする方法。
【請求項５】
請求項１から４のいずれか１項に記載の方法であって、少なくとも１つのパラメータ（Ｐ２）を選択する前記ステップ（Ｅ１）が、少なくとも１つの他のパラメータ（Ｐ１）の値に従って条件付きで行われることを特徴とする方法。
【請求項６】
請求項１から５のいずれか１項に記載の方法であって、いくつかの生成文脈（ｋ）を形成し、したがっていくつかの文書（ＤＯＣ）を生成するような方途で、選択する前記ステップ（Ｅ１）の間に同じパラメータ（Ｐ１、Ｐ２）のいくつかの値が選択されることを特徴とする方法。
【請求項７】
請求項６に記載の方法であって、
−  前記生成文脈（ｋ）と関連付けられた前記仮想文書（ＤＯＣｖ）または前記予め完成された文書（ＤＯＣＰＤＦ）を得るように前記静的インデックス（ＩＮＤＥＸ）を参照するためのステップ（Ｅ２）と、
−  前記文書（ＤＯＣ）を生成するステップ（Ｅ４）とを含むことを特徴とする方法。
【請求項８】
請求項１から７のいずれか１項に記載の方法であって、前記静的インデックス（ＩＮＤＥＸ）が、いくつかの異なる生成文脈（ｋ）と関連付けられた同じ仮想文書（ＤＯＣｖ）を備えることを特徴とする方法。
【請求項９】
特に代理人に本人に代わって行為を行う権限を与えることを目的とする代理委任状様式の少なくとも１つの文書（ＤＯＣ）の自動生成のためのシステムであって、前記文書（ＤＯＣ）が割付け（ＬＹ）に従って表示される複数の項目（ＰＡ）を含み、前記複数の項目（ＰＡ）および前記割付け（ＬＹ）が少なくとも１つの第１のパラメータ（Ｐ１）および１つの第２のパラメータ（Ｐ２）に従い、前記生成のためのシステムが、
−  データベース（３）であって、
−  割付け（ＬＹ）の１つのベース（ＢＬＹ）と、
−  項目（ＰＡ）の１つのベース（ＢＰＡ）と、
−  所定の項目および割付けを備える固定フレームならびに少なくとも１つの可変フィールドを備える、ＰＤＦ形式の予め完成された文書（ＤＯＣＰＤＦ）の１つのベース（ＢＰＤＦ）と、
−  前記第１のパラメータ（Ｐ１）の値のリスト（ＬＰ１）と、
−  前記第２のパラメータ（Ｐ２）の値のリスト（ＬＰ２）であって、前記パラメータ（Ｐ１、Ｐ２）の値の各組合せが生成文脈（ｋ）を形成する、リスト（ＬＰ２）と、
−  各生成文脈（ｋ）を、仮想文書（ＤＯＣｖ）と、またはＰＤＦ形式の予め完成された文書の前記ベースのＰＤＦ形式の予め完成された文書と関連付ける静的インデックス（ＩＮＤＥＸ）であって、仮想文書（ＤＯＣｖ）が、割付けの前記ベース（ＢＬＹ）の決定した割付け（ＬＹ）を指す少なくとも１つのポインタ（ＰＯＬＹ）および項目の前記ベース（ＢＰＡ）の決定した項目（ＰＡ）に関する複数のポインタ（ＰＯＰＡ）を備える、静的インデックス（ＩＮＤＥＸ）と、を少なくとも備えるデータベース（３）と、
−  モジュールであって、
−  予め決定した生成文脈（ｋ）と関連付けられた前記仮想文書（ＤＯＣｖ）またはＰＤＦ形式の前記予め完成された文書（ＤＯＣＰＤＦ）を得るように、前記静的インデックス（ＩＮＤＥＸ）を参照し（Ｅ２）、
−  仮想文書（ＤＯＣｖ）の場合には、前記得られた仮想文書（ＤＯＣｖ）によって指し示される前記割付け（ＬＹ）と、前記項目（ＰＡ）との要求を前記データベース（３）内で行い（Ｅ３）、前記要求によって返される前記項目（ＰＡ）および前記要求によって返される前記割付け（ＬＹ）を含む電子形式の文書（ＤＯＣ）を生成し（Ｅ４）、
−  ＰＤＦ形式の予め完成された文書の場合には、ＰＤＦ形式の前記予め完成された文書（ＤＯＣＰＤＦ）の前記可変フィールドの値を記入し、電子形式の完成された文書を生成する、ことができる生成するためのモジュールと、
を備えることを特徴とするシステム。
【請求項１０】
請求項９に記載のシステムであって、少なくとも１つの項目（ＰＡ）が、固定フレームと少なくとも１つの可変フィールドとを備え、生成するための前記モジュールが、データ入力フォームで、または別のデータベースで前記項目（ＰＡ）の前記可変フィールドの値を検索し、前記値を前記項目（ＰＡ）の前記固定フレームと関連付けることができることを特徴とするシステム。
【請求項１１】
請求項１０に記載のシステムであって、前記生成文脈（ｋ）に従ってデータ入力フォームを生成することができる手段を備えることを特徴とするシステム。